(57)【要約】【課題】保険加入希望者が希望する保険商品を探すにあたり、労力の軽減を図ることができる保険商品提示サーバ、保険商品提示方法及び保険商品提示プログラムを提供する。【解決手段】保険商品提示サーバは、ユーザ情報をユーザ情報記憶部に記憶させるユーザ情報格納部と、端末からのアクセスを認証する認証部と、抽出希望情報に合致した保険商品識別情報を端末に提示する提示部と、抽出された保険商品の申込手続を行う保険会社管理サーバがネットワークを介して申込手続を行う際の申込入力画面に、当該申込入力画面の入力項目としてユーザ情報を利用することを要求するインタフェイスを設ける連携構築部と、インタフェイスへのアクセスがあった場合には、認証部によって正規ユーザと認証された一のユーザのユーザ属性情報を対応する入力項目に入力することにより申込手続を支援するユーザ情報提供部とを備える。【選択図】図２
2014215971.tif 000002
【特許請求の範囲】
【請求項１】
ネットワークを介してアクセス可能に構成されたクライアント端末に対して保険商品を提示する保険商品提示サーバにおいて、
前記クライアント端末から前記ネットワークを介して、ユーザを識別するユーザ識別情報及び前記ユーザの属性であるユーザ属性情報を取得するユーザ情報取得部と、
前記ユーザ情報取得部により取得された前記ユーザ識別情報に対し、前記ユーザ属性情報と関連付けたユーザ情報をユーザ情報記憶部に記憶させるユーザ情報格納部と、
前記クライアント端末から送信されてくる一のユーザ識別情報及び一のユーザ認証情報に基づいて、前記クライアント端末からのアクセスが正規ユーザからのアクセスか否かを判定する認証部と、
前記クライアント端末から、前記保険商品の抽出条件としての抽出希望情報を受信すると、前記保険商品を識別する保険商品識別情報に対し、前記保険商品の内容を示す商品内容情報が関連付けられている保険商品情報が記憶された保険商品情報記憶部から前記抽出希望情報に合致する前記保険商品識別情報を抽出し、抽出した前記保険商品識別情報を、前記ネットワークを介して前記クライアント端末に提示する提示部と、
前記提示部において抽出された前記保険商品識別情報によって識別される前記保険商品の申込手続を行う保険会社管理サーバが提供する申込入力画面に、前記ユーザ情報記憶部に記憶された前記ユーザ属性情報の利用を要求するインタフェイスを設ける連携構築部と、
前記インタフェイスへのアクセスがあった場合には、前記認証部によって正規ユーザと認証された前記一のユーザに関連付けられた前記ユーザ属性情報を前記ユーザ情報記憶部に記憶された前記ユーザ情報から読み出し、読み出した前記ユーザ属性情報を、前記申込入力画面の対応する入力項目に転送して入力するユーザ情報提供部と、
を備える、保険商品提示サーバ。
【請求項２】
前記インタフェイスが、前記提示部によって抽出された前記保険商品識別情報によって識別される前記保険商品の申込手続処理を行う保険会社管理サーバに関する情報がクッキー情報として記憶された前記クライアント端末からアクセスされたときに表示されるように設定されている、
請求項１に記載の保険商品提示サーバ。
【請求項３】
前記申込入力画面の前記入力項目として入力が想定される内容を階層化した構造化データとして記憶する構造化データ記憶部を更に備え、
前記ユーザ情報提供部は、前記ユーザ情報記憶部から読み出した前記ユーザ属性情報を前記申込入力画面の対応する入力項目に転送して入力するに際し、前記構造化データを参照し、前記申込入力画面が入力項目として入力を求めている内容に相当する階層の内容に変換して入力する、
請求項１又は２に記載の保険商品提示サーバ。
【請求項４】
ネットワークを介してアクセス可能に構成されたクライアント端末に対して保険商品を提示する保険商品提示方法において、
前記クライアント端末から前記ネットワークを介して、ユーザを識別するユーザ識別情報及び前記ユーザの属性であるユーザ属性情報を取得するユーザ情報取得ステップと、
前記ユーザ情報取得ステップにより取得された前記ユーザ識別情報に対し、前記ユーザ属性情報と関連付けたユーザ情報をユーザ情報記憶部に記憶させるユーザ情報格納ステップと、
前記クライアント端末から送信されてくる一のユーザ識別情報及び一のユーザ認証情報に基づいて、前記クライアント端末からのアクセスが正規ユーザからのアクセスか否かを判定する認証ステップと、
前記クライアント端末から、前記保険商品の抽出条件としての抽出希望情報を受信すると、前記保険商品を識別する保険商品識別情報に対し、前記保険商品の内容を示す商品内容情報が関連付けられている保険商品情報が記憶された保険商品情報記憶部から前記抽出希望情報に合致する前記保険商品識別情報を抽出し、抽出した前記保険商品識別情報を、前記ネットワークを介して前記クライアント端末に提示する提示ステップと、
前記提示ステップにおいて抽出された前記保険商品識別情報によって識別される前記保険商品の申込手続を行う保険会社管理サーバが提供する申込入力画面に、前記ユーザ情報記憶部に記憶された前記ユーザ属性情報の利用を要求するインタフェイスを設ける連携構築ステップと、
前記インタフェイスへのアクセスがあった場合には、前記認証ステップによって正規ユーザと認証された前記一のユーザに関連付けられた前記ユーザ属性情報を前記ユーザ情報記憶部に記憶された前記ユーザ情報から読み出し、読み出した前記ユーザ属性情報を、前記申込入力画面の対応する入力項目に転送して入力するユーザ情報提供ステップと、
を含む、保険商品提示方法。
【請求項５】
ネットワークを介してアクセス可能に構成されたクライアント端末に対して保険商品を提示する保険商品提示サーバに、
前記クライアント端末から前記ネットワークを介して、ユーザを識別するユーザ識別情報及び前記ユーザの属性であるユーザ属性情報を取得するユーザ情報取得機能と、
前記ユーザ情報取得機能により取得された前記ユーザ識別情報に対し、前記ユーザ属性情報と関連付けたユーザ情報をユーザ情報記憶部に記憶させるユーザ情報格納機能と、
前記クライアント端末から送信されてくる一のユーザ識別情報及び一のユーザ認証情報に基づいて、前記クライアント端末からのアクセスが正規ユーザからのアクセスか否かを判定する認証機能と、
前記クライアント端末から、前記保険商品の抽出条件としての抽出希望情報を受信すると、前記保険商品を識別する保険商品識別情報に対し、前記保険商品の内容を示す商品内容情報が関連付けられている保険商品情報が記憶された保険商品情報記憶部から前記抽出希望情報に合致する前記保険商品識別情報を抽出し、抽出した前記保険商品識別情報を、前記ネットワークを介して前記クライアント端末に提示する提示機能と、
前記提示機能において抽出された前記保険商品識別情報によって識別される前記保険商品の申込手続を行う保険会社管理サーバが提供する申込入力画面に、前記ユーザ情報記憶部に記憶された前記ユーザ属性情報の利用を要求するインタフェイスを設ける連携構築機能と、
前記インタフェイスへのアクセスがあった場合には、前記認証機能によって正規ユーザと認証された前記一のユーザに関連付けられた前記ユーザ属性情報を前記ユーザ情報記憶部に記憶された前記ユーザ情報から読み出し、読み出した前記ユーザ属性情報を、前記申込入力画面の対応する入力項目に転送して入力するユーザ情報提供機能と、
を実現させる、保険商品提示プログラム。
【発明の詳細な説明】
【技術分野】
【０００１】
本発明は、保険商品提示サーバ、保険商品提示方法及び保険商品提示プログラムに関する。
【背景技術】
【０００２】
生命保険や医療保険などの保険商品への加入を考える保険加入希望者は、各保険会社のパンフレット及びインターネットサイトなどを閲覧することにより、自己の希望する保険商品を探している。保険加入希望者にとって、この行為は労力を要するものとなっている。このような状況のもと、近年、保険商品を紹介するインターネットサイトが多く構築されている。例えば、年齢及び性別などの個人情報を入力することにより、条件に合致した保険商品と保険金見積もり金額とを提示するインターネットサイト（以下、「紹介サイト」とも称す。）も存在する（例えば、特許文献１）。また、保険加入希望者は、紹介サイトにより提示された保険会社が提供する申込みサイトにアクセスし、新たに個人情報などを入力することにより保険加入の申し込みができる（例えば、非特許文献１参照）。
【先行技術文献】
【特許文献】
【０００３】
【特許文献１】特開２００２−２５９７０６号公報
【非特許文献】
【０００４】
【非特許文献１】“Ｈｏｋｅｎ  Ｍａｌｌ”、〔ｏｎｌｉｎｅ〕、サリー・ジョイス・ジャパン、〔２０１３年４月１７日検索〕、インターネット＜ＵＲＬ：http://www.hokenmall.jp/＞
【発明の概要】
【発明が解決しようとする課題】
【０００５】
しかしながら、紹介サイトにより提示された保険商品の加入申し込みをする際には、新たに個人情報を入力する必要がある。このことは、保険加入希望者にとって大変な手間であり、保険への加入意欲を減退させてしまう原因となっている。
【０００６】
そこで、本発明の目的は、保険加入希望者がネットワークを介して保険商品の加入手続きをするに際し、労力の軽減を図ることができる保険商品提示サーバ、保険商品提示方法及び保険商品提示プログラムを提供することにある。
【課題を解決するための手段】
【０００７】
本発明の一側面に係る保険商品提示サーバは、ネットワークを介してアクセス可能に構成されたクライアント端末に対して保険商品を提示する保険商品提示サーバにおいて、クライアント端末からネットワークを介して、ユーザを識別するユーザ識別情報及びユーザの属性であるユーザ属性情報を取得するユーザ情報取得部と、ユーザ情報取得部により取得されたユーザ識別情報に対し、ユーザ属性情報と関連付けたユーザ情報をユーザ情報記憶部に記憶させるユーザ情報格納部と、クライアント端末から送信されてくる一のユーザ識別情報及び一のユーザ認証情報に基づいて、クライアント端末からのアクセスが正規ユーザからのアクセスか否かを判定する認証部と、クライアント端末から、保険商品の抽出条件としての抽出希望情報を受信すると、保険商品を識別する保険商品識別情報に対し、保険商品の内容を示す商品内容情報が関連付けられている保険商品情報が記憶された保険商品情報記憶部から抽出希望情報に合致する保険商品識別情報を抽出し、抽出した保険商品識別情報を、ネットワークを介してクライアント端末に提示する提示部と、提示部において抽出された保険商品識別情報によって識別される保険商品の申込手続を行う保険会社管理サーバが提供する申込入力画面に、ユーザ情報記憶部に記憶されたユーザ属性情報の利用を要求するインタフェイスを設ける連携構築部と、インタフェイスへのアクセスがあった場合には、認証部によって正規ユーザと認証された一のユーザに関連付けられたユーザ属性情報をユーザ情報記憶部に記憶されたユーザ情報から読み出し、読み出したユーザ属性情報を、申込入力画面の対応する入力項目に転送して入力するユーザ情報提供部と、を備える。
【０００８】
本発明の一側面に係る保険提示方法は、ネットワークを介してアクセス可能に構成されたクライアント端末に対して保険商品を提示する保険商品提示方法において、クライアント端末からネットワークを介して、ユーザを識別するユーザ識別情報及びユーザの属性であるユーザ属性情報を取得するユーザ情報取得ステップと、ユーザ情報取得ステップにより取得されたユーザ識別情報に対し、ユーザ属性情報と関連付けたユーザ情報をユーザ情報記憶部に記憶させるユーザ情報格納ステップと、クライアント端末から送信されてくる一のユーザ識別情報及び一のユーザ認証情報に基づいて、クライアント端末からのアクセスが正規ユーザからのアクセスか否かを判定する認証ステップと、クライアント端末から、保険商品の抽出条件としての抽出希望情報を受信すると、保険商品を識別する保険商品識別情報に対し、保険商品の内容を示す商品内容情報が関連付けられている保険商品情報が記憶された保険商品情報記憶部から抽出希望情報に合致する保険商品識別情報を抽出し、抽出した保険商品識別情報を、ネットワークを介してクライアント端末に提示する提示ステップと、提示ステップにおいて抽出された保険商品識別情報によって識別される保険商品の申込手続を行う保険会社管理サーバが提供する申込入力画面に、ユーザ情報記憶部に記憶されたユーザ属性情報の利用を要求するインタフェイスを設ける連携構築ステップと、インタフェイスへのアクセスがあった場合には、認証ステップによって正規ユーザと認証された一のユーザに関連付けられたユーザ属性情報をユーザ情報記憶部に記憶されたユーザ情報から読み出し、読み出したユーザ属性情報を、申込入力画面の対応する入力項目に転送して入力するユーザ情報提供ステップと、を含む。
【０００９】
本発明の一側面に係る保険商品提示プログラムは、ネットワークを介してアクセス可能に構成されたクライアント端末に対して保険商品を提示する保険商品提示サーバに、クライアント端末からネットワークを介して、ユーザを識別するユーザ識別情報及びユーザの属性であるユーザ属性情報を取得するユーザ情報取得機能と、ユーザ情報取得機能により取得されたユーザ識別情報に対し、ユーザ属性情報と関連付けたユーザ情報をユーザ情報記憶部に記憶させるユーザ情報格納機能と、クライアント端末から送信されてくる一のユーザ識別情報及び一のユーザ認証情報に基づいて、クライアント端末からのアクセスが正規ユーザからのアクセスか否かを判定する認証機能と、クライアント端末から、保険商品の抽出条件としての抽出希望情報を受信すると、保険商品を識別する保険商品識別情報に対し、保険商品の内容を示す商品内容情報が関連付けられている保険商品情報が記憶された保険商品情報記憶部から抽出希望情報に合致する保険商品識別情報を抽出し、抽出した保険商品識別情報を、ネットワークを介してクライアント端末に提示する提示機能と、提示機能において抽出された保険商品識別情報によって識別される保険商品の申込手続を行う保険会社管理サーバが提供する申込入力画面に、ユーザ情報記憶部に記憶されたユーザ属性情報の利用を要求するインタフェイスを設ける連携構築機能と、インタフェイスへのアクセスがあった場合には、認証機能によって正規ユーザと認証された一のユーザに関連付けられたユーザ属性情報をユーザ情報記憶部に記憶されたユーザ情報から読み出し、読み出したユーザ属性情報を、申込入力画面の対応する入力項目に転送して入力するユーザ情報提供機能と、を実現させる。
【００１０】
このような保険商品提示サーバ及び保険商品提示方法によれば、連携構築部によって設けられたインタフェイスを介することにより、申込入力画面の入力項目には、ユーザ情報記憶部に記憶されたユーザ情報から対応する情報が入力される。これにより、保険商品の提示を受けるために入力したユーザ属性情報を、提示された保険商品の申込手続をする際に再度入力する手間を省くことができる。この結果、保険加入希望者がネットワークを介して保険商品の加入手続きをするに際し、労力の軽減を図ることができる。
【００１１】
また、一実施形態において、インタフェイスが、提示部によって抽出された保険商品識別情報によって識別される保険商品の申込手続処理を行う保険会社管理サーバに関する情報がクッキー情報として記憶されたクライアント端末からアクセスされたときに表示されるように設定されてもよい。
【００１２】
このような保険商品提示サーバによれば、保険商品提示サーバによって提示された保険商品を申し込むために保険会社管理サーバにアクセスした場合、上記のような申込入力画面における入力項目の入力を支援するためのインタフェイスを確実に表示させることができる。また、一度、保険商品提示サーバから提示を受けた保険商品については、あとからその保険商品の申込入力画面にアクセスした場合であっても、上記のインタフェイスが表示される。
【００１３】
また、一実施形態において、申込入力画面の入力項目として入力が想定される内容を階層化した構造化データとして記憶する構造化データ記憶部を更に備え、ユーザ情報提供部は、ユーザ情報記憶部から読み出したユーザ属性情報を申込入力画面の対応する入力項目に転送して入力するに際し、構造化データを参照し、申込入力画面が入力項目として入力を求めている内容に相当する階層の内容に変換して入力してもよい。
【００１４】
ここで、保険商品の加入申し込みにおいて保険加入希望者に入力を求める入力項目のレベルは、各保険会社によってばらつきがある場合がある。また、保険商品提示サーバがユーザ情報として管理するユーザ属性情報のレベルと、保険会社管理サーバが提供する申込入力画面における入力項目のレベルとでは異なる場合がある。例えば、保険商品提示サーバでは、ユーザ情報としてがんを発症したことがあるという情報を記憶する一方、保険会社管理サーバが提供する申込入力画面では、三大疾病に発症したことがあるかという情報の入力を求めているような場合である。
【００１５】
上記のような保険商品提示サーバによれば、ユーザ情報として記憶されている情報のレベルと、入力項目として求められている情報のレベルとが異なっていても、構造化データとして記憶されている階層関係（親子関係）に基づいて、入力項目として求められているレベルにあった内容に変換することが可能となる。
【発明の効果】
【００１６】
本発明によれば、保険加入希望者がネットワークを介して保険商品の加入手続きをするに際し、労力の軽減を図ることができる。
【図面の簡単な説明】
【００１７】
【図１】一実施形態に係る保険商品提示システムの構成を示すブロック図である。
【図２】保険商品提示サーバの構成を示すブロック図である。
【図３】保険商品提示サーバ及びクライアント端末のハードウェア構成を示す図である。
【図４】ユーザ情報記憶部が記憶するユーザ情報のテーブル構成を示す図である。
【図５】保険商品情報記憶部が記憶する商品内容情報のテーブル構成を示す図である。
【図６】端末クライアントの構成を示すブロック図である。
【図７】ユーザ情報入力画面の一例を示す図である。
【図８】健康状態に関するアンケート入力画面の一例を示す図である。
【図９】抽出条件入力画面の一例を示す図である。
【図１０】見積結果画面の一例を示す図である。
【図１１】ユーザ認証画面の一例を示す図である。
【図１２】保険会社管理サーバの構成を示すブロック図である。
【図１３】保険商品申込入力画面の一例を示す図である。
【図１４】保険商品申込入力画面の一例を示す図である。
【図１５】保険商品提示システムにおける保険商品提示処理及びユーザ情報提供処理を示したフローチャートである。
【図１６】報知画面の一例を示す図である。
【図１７】確認画面の一例を示す図である。
【図１８】構造化データの一例を示した図である。
【発明を実施するための形態】
【００１８】
以下、図面を参照して一実施形態について説明する。図面の説明において、同一要素には同一符号を付し、重複する説明を省略する。
【００１９】
図１は、一実施形態に係る保険商品提示システム１の構成を示すブロック図である。図１に示すように、保険商品提示システム１は、保険商品提示サーバ１０と、クライアント端末３０（３０ａ，３０ｂ，…）と、保険会社管理サーバ７０（７０ａ，７０ｂ，…）とを備えており、ネットワーク３を介して互いにアクセス可能に構成されている。ネットワークの例には、インターネット回線、専用回線、ＶＰＮ（Virtual Private Network）回線などが含まれる。また、有線であってもよいし、無線であってもよい。
【００２０】
まず、保険商品提示サーバ１０について説明する。図２は、保険商品提示サーバ１０の構成を示すブロック図である。保険商品提示サーバ１０は、クライアント端末３０からの要求に応じて保険商品を提示すると共に、保険会社管理サーバ７０からの要求に応じてユーザ情報記憶部１３ａに記憶されたユーザ情報を提供するサーバ装置である。保険商品提示サーバ１０は、ユーザ情報取得部１１と、ユーザ情報格納部１３と、ユーザ情報記憶部１３ａと、保険商品情報記憶部１５と、提示部１７と、連携構築部２１と、認証部２３と、ユーザ情報提供部２５とを有している。
【００２１】
図３は、保険商品提示サーバ１０のハードウェア構成図である。保険商品提示サーバ１０は、物理的には、図３に示すように、ＣＰＵ（Central Processing Unit）４１、ＲＡＭ（Random AccessMemory）及びＲＯＭ（Read Only Memory）などの主記憶部４２、ハードディスク、フラッシュメモリなどに例示される補助記憶部４３、キーボード及びマウスなどの入力部４４、表示画面などの出力部４５などを含むコンピュータシステムとして構成されている。
【００２２】
後段にて詳述するユーザ情報取得部１１と、ユーザ情報格納部１３と、提示部１７と、連携構築部２１と、認証部２３と、ユーザ情報提供部２５とにおける各機能は、図３に示すＣＰＵ４１、主記憶部４２などのハードウェア上に所定のコンピュータソフトウェアを読み込ませることにより、ＣＰＵ４１の制御のもと実行される。再び、図２を参照し、保険商品提示サーバ１０について詳細に説明する。
【００２３】
ユーザ情報取得部１１は、クライアント端末３０からネットワーク３を介して、ユーザを識別するユーザ識別情報としてのユーザ名と、ユーザを認証するユーザ認証情報としてのパスワードと、ユーザの属性としての性別及び年齢と、ユーザの住所情報と、健康状態に関する情報としてのがん、急性心筋梗塞、及び脳卒中のそれぞれについて発症の有無に関する情報と、を取得する。ユーザ識別情報としてのユーザ名、ユーザの属性としての性別及び年齢と、ユーザを認証するユーザ認証情報としてのパスワードと、健康状態に関する情報としてのがん、急性心筋梗塞、及び脳卒中のそれぞれについて発症の有無に関する情報は一例であり、例えば、ユーザ名としてはユーザＩＤ、健康状態に関する情報としては過去の病歴などがその他の例として挙げられる。ユーザ情報取得部１１は、上記に挙げた項目に代えてユーザに関するその他情報を取得してもよいし、また、上記に挙げた項目に加えてユーザに関するその他情報を取得してもよい。
【００２４】
ユーザ情報格納部１３は、ユーザ情報取得部１１により取得された、ユーザ名と、パスワードと、ユーザの属性である性別及び年齢と、ユーザの住所情報と、がん、急性心筋梗塞、及び脳卒中のそれぞれについて発症の有無に関する情報と、をユーザ情報Ｔ１としてユーザ情報記憶部１３ａに記憶させる。
【００２５】
ユーザ情報記憶部１３ａは、ユーザ情報取得部１１により取得された、ユーザ名と、パスワードと、ユーザの属性である性別及び年齢と、ユーザの住所情報と、がん、急性心筋梗塞、及び脳卒中のそれぞれについて発症の有無に関する情報と、をユーザ情報Ｔ１として記憶する。
【００２６】
図４は、ユーザ情報記憶部１３ａが記憶するユーザ情報Ｔ１のテーブル構成を示す図である。ユーザ情報記憶部１３ａは、ユーザ名に対して、パスワードと、ユーザの属性である性別及び年齢と、ユーザの住所情報と、がん、急性心筋梗塞、及び脳卒中のそれぞれについて発症の有無に関する情報とを関連付けて記憶する。図４に示すユーザ情報Ｔ１において、性別欄の「１」は男性を示すコードであり、「２」は女性を示すコードである。また、健康状態に関する情報において、「０」は発症無を示すコードであり、「１」は発症有を示すコードである。
【００２７】
図４に示すユーザ情報記憶部１３ａが記憶するユーザ情報Ｔ１のテーブル構成は一例である。例えば、ユーザ情報記憶部１３ａは、ユーザ名に対してパスワードが関連付けられたテーブル、ユーザ名に対してユーザの属性である性別及び年齢が関連付けられたテーブル、ユーザ名に対してユーザの住所情報が関連付けられたテーブル、ユーザ名に対してがん、急性心筋梗塞、及び脳卒中のそれぞれについて発症の有無に関する情報が関連付けられたテーブルをそれぞれ記憶してもよい。ユーザ情報記憶部１３ａは、上記に挙げた項目に代えてユーザに関するその他情報を記憶してもよいし、また、上記に挙げた項目に加えてユーザに関するその他情報を記憶してもよい。
【００２８】
保険商品情報記憶部１５は、保険商品を識別する保険商品識別情報としての保険商品名、保険会社名、保険種類、保険期間、保障内容、保険加入希望者の属性条件ごとの保険商品金額、健康状態に関する情報ごとの引受可否を示す可否判定情報などを示す商品内容情報を保険商品情報Ｔ３として記憶する。保険の種類の例には、医療保険及び生命保険などの情報が含まれる。保険期間の例には、終身及び定期などの情報が含まれる。
【００２９】
図５は、保険商品情報記憶部１５が記憶する保険商品情報Ｔ３のテーブル構成を示す図である。保険商品情報記憶部１５は、保険商品名に対して、保険会社名と、保険の種類と、保険期間と、保障内容と、保険加入希望者の属性条件ごとの保険商品金額と、健康状態に関する情報ごとの引受可否を示す可否判定情報とを関連付けて記憶する。図５に示す保険商品情報Ｔ３において、引受可否判定情報欄の「１」は引受可能を示すコードであり、「０」は引受不可能を示すコードである。
【００３０】
図５に示す保険商品情報記憶部１５が記憶する保険商品情報Ｔ３のテーブル構成についても、ユーザ情報記憶部１３ａと同様に一例である。したがって、保険商品名に対して保険会社名と、保険の種類と、保険期間と、保障内容と、保険商品金額と、引受可否判定情報とが関連付けられればよい。また、保険商品情報記憶部１５は、上記に挙げた項目に代えて保険商品に関するその他情報を記憶してもよいし、また、上記に挙げた項目に加えて保険商品に関するその他情報を記憶してもよい。
【００３１】
提示部１７は、クライアント端末３０から、保険商品の抽出条件としての抽出希望情報を受信すると、保険商品情報記憶部１５に記憶された保険商品情報Ｔ３を検索して抽出希望情報に合致する保険商品識別情報を抽出し、抽出した保険商品識別情報を、ネットワーク３を介してクライアント端末３０に提示する。
【００３２】
例えば、提示部１７が、クライアント端末３０から抽出希望情報として「保険期間が終身であるという情報」を受信すると、保険商品情報Ｔ３の中から保険期間が終身の保険商品名（図５では商品Ａ，Ｂ，Ｄ）の保険商品を抽出する。そして、提示部１７は、保険商品情報Ｔ３において、抽出された保険商品に関連付けられた情報を、ネットワーク３を介してクライアント端末３０に提示する。本実施形態の提示部１７は、保険商品名及び保険会社名及び保障内容を、ネットワーク３を介してクライアント端末３０に提示する。
【００３３】
連携構築部２１は、提示部１７によって抽出された保険商品識別情報によって識別される保険商品の申込手続処理を行う保険会社管理サーバ７０に対し、ネットワーク３を介して保険商品の申込手続を行う際の申込入力画面６１（図１３参照）に、ユーザ情報記憶部１３ａに記憶されたユーザ情報を利用するためのインタフェイスを設ける。ここでいうインタフェイスは、ボタン及びリンクなどの手段により、保険商品提示サーバ１０に対して命令を送信する部分をいう。例えば、連携構築部２１は、保険会社管理サーバ７０が提供する、図１３に示す申込入力画面６１の一部に連携ボタン６１ａを配置させる。具体的には、連携構築部２１は、保険会社管理サーバ７０に対し、例えばＨＴＭＬ内で連携ボタン６１ａに該当する画像の表示を要求する。
【００３４】
認証部２３は、クライアント端末３０から送信されてくる一のユーザ名及び一のパスワードに基づいて、クライアント端末３０からのアクセスが正規ユーザからのアクセスか否かを判定する。本実施形態では、認証部２３は、連携構築部２１の要求に応じて設けられたインタフェイスを介して保険会社管理サーバ７０からのアクセスがあった場合には、クライアント端末３０に対してユーザ名及びパスワードの入力を求める。そして、認証部２３は、当該求めに応じてクライアント端末３０から送信されてくる一のユーザ名及び一のパスワードとユーザ情報記憶部１３ａに記憶されたユーザ情報Ｔ１とに基づいて、クライアント端末３０からのアクセスが正規ユーザからのアクセスか否かを判定する。
【００３５】
一のユーザ名及び一のパスワードの組合せがユーザ情報記憶部１３ａに記憶されている場合には、認証部２３は、正規ユーザからのアクセスであると判定する。この場合、認証部２３は、このクライアント端末３０からのアクセスを、一のユーザ名によって識別されるユーザからのアクセスと認定し、保険商品提示サーバ１０へのログインを許可する。
【００３６】
ユーザ情報提供部２５は、連携構築部２１によって設けられたインタフェイス（連携ボタン６１ａ）を介して保険会社管理サーバ７０からアクセスがあった場合には、認証部２３に正規ユーザからのアクセスであるか否かを問い合わせる。正規ユーザからのアクセスであることが確認されると、ユーザ情報提供部２５は、申込入力画面６１の入力項目６１ｂとして入力すべき情報を、正規ユーザと認証された一のユーザに関連付けられたユーザ属性情報をユーザ情報記憶部１３ａに記憶されたユーザ情報Ｔ１から読み出し、読み出したユーザ属性情報を入力項目６１ｂに転送（図１４参照）する。
【００３７】
次に、クライアント端末３０について説明する。図６は、クライアント端末３０の構成を示すブロック図である。クライアント端末３０（３０ａ，３０ｂ，…）は、保険商品提示サーバ１０に対して保険商品の提示を求めると共に、保険会社管理サーバ７０に対して保険商品の申込を行う端末装置である。クライアント端末３０の例には、据え置き型の端末、携帯端末、タブレット端末、及びＰＤＡ（Personal Digital Assistant）などが含まれる。クライアント端末３０は、ユーザ情報受付部３１と、抽出希望情報受付部３３と、抽出結果出力部３５と、加入申込受付部３７と、認証情報受付部３９とを有している。
【００３８】
図３は、クライアント端末３０のハードウェア構成図である。クライアント端末３０は、物理的には、図３に示すように、ＣＰＵ（Central Processing Unit）４１、ＲＡＭ（Random AccessMemory）及びＲＯＭ（Read Only Memory）などの主記憶部４２、ハードディスク、フラッシュメモリなどに例示される補助記憶部４３、キーボード及びマウスなどの入力部４４、表示画面などの出力部４５などを含むコンピュータシステムとして構成されている。
【００３９】
後段にて詳述するユーザ情報受付部３１と、抽出希望情報受付部３３と、抽出結果出力部３５と、加入申込受付部３７と、認証情報受付部３９とにおける各機能は、保険商品提示サーバ１０又は後段に詳述する保険会社管理サーバ７０から命令を受けると、図３に示すＣＰＵ４１、主記憶部４２などのハードウェア上に所定のコンピュータソフトウェアを読み込ませることにより、ＣＰＵ４１の制御のもと実行される。再び、図６を参照し、クライアント端末３０について詳細に説明する。
【００４０】
ユーザ情報受付部３１は、ユーザの登録及びユーザ情報の変更を受け付ける。ユーザ情報受付部３１は、ユーザを識別するユーザ識別情報としてのユーザ名と、ユーザを認証するユーザ認証情報としてのパスワードと、ユーザの住所情報と、ユーザの属性としての性別及び生年月日（年齢）との入力を受け付け、受け付けた情報を保険商品提示サーバ１０に送信する。ユーザ情報受付部３１は、例えば、クライアント端末３０が有する表示モニタに、図７に示すようなユーザ情報入力画面５１を表示させることにより、ユーザからの入力受付を可能とする。
【００４１】
ユーザ情報受付部３１は、ユーザの健康状態に関する情報としての、がん、急性心筋梗塞、及び脳卒中のそれぞれについて発症の有無に関する情報を更に受け付け、受け付けた情報を保険商品提示サーバ１０に送信する。ユーザ情報受付部３１は、例えば、クライアント端末３０が有する表示モニタに、図８に示すような健康状態に関するアンケート入力画面５３を表示させることにより、ユーザからの入力受付を可能とする。図８に示す健康状態に関するアンケート入力画面５３は、がん、急性心筋梗塞、及び脳卒中の文字のある左側に配置された対応するチェックボックスに入力することにより、健康状態に関するアンケートに答えることができる。
【００４２】
抽出希望情報受付部３３は、保険商品の抽出条件としての抽出希望情報の入力を受け付けて、受け付けた情報を保険商品提示サーバ１０に送信する。抽出希望情報受付部３３は、例えば、クライアント端末３０が有する表示モニタに、図９に示すような抽出条件入力画面５５を表示させることにより、ユーザからの入力受付を可能とする。
【００４３】
抽出結果出力部３５は、保険商品提示サーバ１０から提示された保険商品名、保険会社名、保険商品金額、及び保障内容に関する情報を取得し、抽出情報として出力する。抽出結果出力部３５は、ネットワーク３を介して送信されてくる保険商品名、保険会社名、保険商品金額、及び保障内容に関する情報を、例えば、クライアント端末３０が有する表示モニタに、図１０に示すような抽出結果画面５７を表示させることにより、ユーザへの保険商品の提示を可能とする。
【００４４】
加入申込受付部３７は、抽出結果画面５７として表示された保険商品に対する申込を受け付ける。加入申込受付部３７は、例えば、クライアント端末３０が有する表示モニタに、図１０に示すような抽出結果画面５７に申込ボタン５７ａを表示させることにより、ユーザからの保険商品の申し込みを受け付けることを可能とする。申込ボタン５７ａは、対応する保険商品の保険会社管理サーバ７０が提供する申込入力画面６１（図１３参照）にリンクされている。
【００４５】
認証情報受付部３９は、ユーザ名及びパスワードの入力を受け付けて、受け付けた情報を保険商品提示サーバ１０に送信する。認証情報受付部３９は、例えば、クライアント端末３０が有する表示モニタに、図１１に示すようなユーザ認証画面５９を表示させることにより、ユーザからの入力受付を可能とする。ユーザ認証画面５９は、いわゆるポップアップ画面として表示してもよい。
【００４６】
次に、保険会社管理サーバ７０について説明する。図１２は、保険会社管理サーバ７０の構成を示すブロック図である。保険会社管理サーバ７０は、ネットワーク３を介して保険商品の申込手続処理を行うサーバ装置であり、保険商品を販売する保険会社ごとに設けられている。保険会社管理サーバ７０は、申込入力受付部７１と、ユーザ情報被提供部７５とを有している。
【００４７】
図３は、保険会社管理サーバ７０のハードウェア構成図である。保険会社管理サーバ７０は、物理的には、図３に示すように、ＣＰＵ（Central Processing Unit）４１、ＲＡＭ（Random AccessMemory）及びＲＯＭ（Read Only Memory）などの主記憶部４２、ハードディスク、フラッシュメモリなどに例示される補助記憶部４３、キーボード及びマウスなどの入力部４４、表示画面などの出力部４５などを含むコンピュータシステムとして構成されている。
【００４８】
後段にて詳述する申込入力受付部７１と、ユーザ情報被提供部７５とにおける各機能は、図３に示すＣＰＵ４１、主記憶部４２などのハードウェア上に所定のコンピュータソフトウェアを読み込ませることにより、ＣＰＵ４１の制御のもと実行される。再び、図１２を参照し、保険会社管理サーバ７０について詳細に説明する。
【００４９】
申込入力受付部７１は、保険商品の申し込みに際し必要な事項の入力を、ネットワーク３を介して受け付ける。申込入力受付部７１は、例えば、氏名（漢字）、氏名（カナ）、性別、生年月日、及び住所などの情報の入力を受け付ける。申込入力受付部７１は、例えば、クライアント端末３０が有する表示モニタに、図１３に示すような申込入力画面６１を表示させることにより、ユーザからの入力受付を可能とする。
【００５０】
申込入力受付部７１は、申込入力画面６１において、保険商品提示サーバ１０が管理するユーザ情報記憶部１３ａに記憶されたユーザ情報Ｔ１を利用するためのインタフェイスとして連携ボタン６１ａが設けられている。申込入力画面６１の連携ボタン６１ａは、連携構築部２１からの要求に基づいて動的に形成され配置される。他のインタフェイスの例には、文字情報のリンク表示などがある。
【００５１】
ユーザ情報被提供部７５は、連携ボタン６１ａがクリックされたことにより保険商品提示サーバ１０から転送されてきたユーザ属性情報を受信し、受信したユーザ属性情報を、図１４に示すように、申込入力画面６１の対応する入力項目６１ｂに表示させる。
【００５２】
保険会社管理サーバ７０は、申込入力画面６１の対応する入力項目６１ｂに表示後、申込完了ボタンなどがクリックされたことを確認すると、入力項目６１ｂとして表示された情報を、顧客情報管理部７７に記憶する。保険会社管理サーバ７０は、顧客情報管理部７７に記憶された内容に基づいて、その後の保険商品の加入申込に関する手続処理を進める。
【００５３】
次に、上記保険商品提示システム１において、クライアント端末３０から保険商品の提示を求められた保険商品提示サーバ１０がクライアント端末３０に保険商品を提示する際の動作と、保険会社管理サーバ７０からユーザ情報の提供を求められた保険商品提示サーバ１０が保険会社管理サーバ７０にユーザ情報を提供する際の動作について、主に図１５を用いて説明する。図１５は、保険商品提示システム１における保険商品提示処理及びユーザ情報提供処理を示したフローチャートである。
【００５４】
まず、保険商品の提示を受けたいと希望するユーザＡ（例えば、図４に示す属性を有するユーザＡ）は、クライアント端末３０からユーザ名、パスワード、ユーザの住所情報、性別及び生年月日、及び健康状態に関する情報を入力する。具体的には、ユーザは、クライアント端末３０の表示画面に表示される図７に示すようなユーザ情報入力画面５１から、上記情報の入力を行う。ユーザ情報受付部３１は、ユーザ情報入力画面５１において受け付けた上記情報を、ネットワーク３を介して保険商品提示サーバ１０に送信する（ステップＳ１）。
【００５５】
保険商品提示サーバ１０は、クライアント端末３０から送信されてくるユーザ名、パスワード、ユーザの住所情報、性別及び生年月日、及び健康状態に関する情報をユーザ情報として登録する。具体的には、ユーザ情報取得部１１が、ネットワーク３を介して送信されてくる上記情報を取得し、ユーザ情報記憶部１３ａにユーザ情報として記憶させる。
【００５６】
次に、保険商品の提示を受けたいと希望するユーザＡは、クライアント端末３０から抽出希望情報を入力する。例えば、ユーザＡは、クライアント端末３０の表示画面に表示される図９に示すような抽出条件入力画面５５から、上述した情報の入力を行う。抽出希望情報受付部３３は、抽出条件入力画面５５において受け付けた情報を、ネットワーク３を介して保険商品提示サーバ１０に送信する（ステップＳ２）。
【００５７】
保険商品提示サーバ１０は、クライアント端末３０から送信されてくる抽出希望情報に基づいて保険商品を抽出する。具体的には、提示部１７は、ネットワーク３を介して送信されてくる抽出希望情報を受信すると、保険商品情報記憶部１５に記憶された保険商品情報Ｔ３の中から抽出希望情報に合致する保険商品名を抽出する。保険商品提示サーバ１０は、抽出した保険商品に関する情報をクライアント端末３０に送信する（ステップＳ３）。
【００５８】
次に、クライアント端末３０は、保険商品提示サーバ１０から送信されてくる保険商品名、保険会社名、保険商品金額、及び保障内容に関する情報を取得し、抽出情報として出力する。例えば、抽出結果出力部３５が、保険商品提示サーバ１０から送信されてくる保険商品名、保険会社名、保険商品金額、及び保障内容に関する情報を取得し、図１０に示すような抽出結果画面５７を表示することにより、ユーザＡに抽出情報を提示する。
【００５９】
ステップＳ３と同時に、保険商品提示サーバ１０は、保険会社管理サーバ７０に対し、保険会社管理サーバ７０がネットワーク３を介して保険商品の申込手続を行う際の申込入力画面６１に、ユーザ情報記憶部１３ａに記憶されたユーザ情報Ｔ１を利用するためのインタフェイスを設けることを要求する（ステップＳ４）。
【００６０】
例えば、連携構築部２１は、図１０に示すような保険商品の抽出結果として表示された保険商品を管理する、図１３に示すような保険会社管理サーバ７０の申込入力画面６１に、ユーザ情報の提供を依頼するための連携ボタン（インタフェイス）６１ａを設けることを要求する。申込入力画面６１の連携ボタン６１ａは、連携構築部２１からの要求に基づいて動的に形成され配置される。
【００６１】
次に、保険商品提示サーバ１０により提示を受けた保険商品に加入をしたいと希望するユーザＡは、例えば、図１０に示す抽出結果画面５７に表示された申込ボタン５７ａをクリックする。申込ボタン５７ａがクリック（入力）されたことを検知したクライアント端末３０は、その旨の情報を保険商品提示サーバ１０へ送信する（ステップＳ５）。
【００６２】
次に、クライアント端末３０から保険商品への申込ボタンがクリックされた旨の情報を受信した保険商品提示サーバ１０は、クライアント端末３０に対して、申込みを希望する保険会社が管理するウェブサイトへ移動することをユーザに報知するための表示を行わせる（ステップＳ６）。この表示は、例えば、図１６に示すような報知画面６３を表示することにより報知することができ、保険会社が管理するウェブサイトへ移動することを許可するボタン（「サイトに移動」ボタン）６３ａと、許可しないボタン（「移動しない」ボタン）６３ｂが表示される。
【００６３】
ここで、図１６に示す「サイトに移動」ボタン６３ａがクリックされると、図１０のネット申し込みボタン６３ａにリンクされた保険会社管理サーバ７０が提供する申込入力画面６１にサイトが移動する（ステップＳ７）。保険会社管理サーバ７０は、図１３に示すような、連携ボタン６１ａが表示された申込入力画面６１をクライアント端末３０に表示させる（ステップＳ８）。
【００６４】
ここで、保険商品提示サーバ１０が、申込入力画面６１における連携ボタン６１ａがクリックされたことを検知すると（ステップＳ９）、保険商品提示サーバ１０は、クライアント端末３０に対して、保険商品提示サーバ１０が管理するユーザ情報を保険会社管理サーバ７０に提供することを示す確認画面を表示する（ステップＳ１０）。このとき、図１７に示すように、保険商品提示サーバ１０のユーザ情報記憶部１３ａが記憶する情報の種類ごとに、提供の可否を確認するような確認画面６５を表示してもよい。情報の種類の例には、例えば、基本情報、健康状態に関する情報、及び職業に関する情報などが含まれる。基本情報の例には、氏名、生年月日、住所、電話番号などの情報が含まれる。
【００６５】
次に、保険商品提示サーバ１０に記憶されたユーザ情報を、申込入力画面６１の入力項目６１ｂの入力に使用したいと希望するユーザＡは、クライアント端末３０からユーザ名及びパスワードを入力する。具体的には、ユーザＡは、クライアント端末３０の表示画面に表示される図１１に示すようなユーザ情報入力画面５１から、ユーザ名及びパスワードの入力を行う。認証情報受付部３９は、ユーザ認証画面５９において受け付けたユーザ名及びパスワードを、ネットワーク３を介して保険商品提示サーバ１０に送信する（ステップＳ１１）。
【００６６】
保険商品提示サーバ１０は、クライアント端末３０から送信されてくるユーザ名及びパスワードに基づいて、保険商品提示サーバ１０へのログインの可否を判断する。具体的には、認証部２３は、ネットワーク３を介して送信されてくるユーザ名及びパスワードの組合せが、ユーザ情報記憶部１３ａに記憶されているか否かを判定する。ここで、ユーザ名及びパスワードの組み合わせがユーザ情報記憶部１３ａに記憶されていることを確認すると、認証部２３は、クライアント端末３０からのアクセスが正規ユーザからのアクセスであると判定する。
【００６７】
保険商品提示サーバ１０は、クライアント端末３０からのアクセスが正規ユーザからのアクセスであると判定すると、申込入力画面６１の入力項目６１ｂとして入力すべき情報を、正規ユーザと認証された一のユーザ名に関連付けられたユーザ属性情報をユーザ情報記憶部１３ａに記憶されたユーザ情報Ｔ１から読み出し、読み出したユーザ属性情報を入力項目６１ｂに転送する（ステップＳ１２）。
【００６８】
保険会社管理サーバ７０は、図１４に示すように、入力項目６１ｂに保険商品提示サーバ１０から転送された情報が転送された申込入力画面６１をクライアント端末３０に表示させる（ステップＳ１３）。ユーザＡは、例えば、申込入力画面６１に表示された申込ボタンなどをクリックすることにより、その後の保険商品の加入申込に関する手続処理を進める（ステップＳ１４）。
【００６９】
なお、クライアント端末３０を認証した保険商品提示サーバ１０から保険会社管理サーバ７０へのユーザ情報の提供は、例えば、ＯＡｕｔｈ２．０で策定されるプロトコルを用いて実現することができる。
【００７０】
上記実施形態の保険商品提示サーバ１０及び保険商品提示方法によれば、連携構築部２１によって設けられた図１３に示すようなインタフェイス（連携ボタン６１ａ）がクリックされることにより、図１４に示すように申込入力画面６１の入力項目６１ｂには、ユーザ情報記憶部１３ａに記憶されたユーザ情報から対応する情報が入力される。これにより、保険商品の提示を受けるために入力したユーザ属性情報を、提示された保険商品の申込手続をする際に再度入力する手間を省くことができる。この結果、保険加入希望者がネットワークを介して保険商品の加入手続きをするに際し、労力の軽減を図ることができる。
【００７１】
以上、本発明の一実施形態について説明したが、本発明は上記実施形態に限定されるものではなく、発明の趣旨を逸脱しない範囲で種々の変更が可能である。
【００７２】
上記実施形態の保険商品提示サーバ１０では、ユーザ情報記憶部１３ａ及び保険商品情報記憶部１５を有している例を挙げて説明したが本発明はこれに限定されるものではない。例えば、ユーザ情報記憶部１３ａ及び保険商品情報記憶部１５は、データセンターなど、保険商品提示サーバ１０の外部に設けられていてもよい。
【００７３】
上記実施形態の保険商品提示サーバ１０では、ユーザ情報取得部１１がパスワードを取得し、ユーザ情報格納部１３がこのパスワードをユーザ情報記憶部１３ａに記憶させる例を挙げて説明したが、本発明はこれに限定されるものではない。例えば、ユーザ名及びパスワードは、ユーザ情報記憶部１３ａに予め記憶されていてもよい。また、ユーザ名及びパスワードは、保険商品提示サーバ１０の外部の記憶手段に記憶されていてもよい。この場合、認証部２３は、上記外部の記憶手段にアクセスすることにより認証処理を実施する。
【００７４】
また、上記実施形態の保険商品提示サーバ１０におけるユーザ情報提供処理では、保険会社管理サーバ７０が提供する申込入力画面６１においてユーザ情報の提供を求めるための連携ボタン６１ａがクリックされたタイミングで、ログイン認証を実施する例を挙げて説明したが、本発明はこれに限定されるものではない。例えば、保険商品提示サーバ１０は、保険商品の提示を行う前のタイミングで、ログイン認証を実施してもよい。この場合、保険商品提示サーバ１０は、申込入力画面６１においてユーザ情報の提供を求めるための連携ボタン６１ａがクリックされたとしても、ログイン認証を実施しなくてもよい。そして、保険商品提示サーバ１０は、既にログイン認証されているユーザに関連付けられているユーザ属性情報を保険会社管理サーバ７０に送信してもよい。
【００７５】
また、保険商品提示サーバに対して保険商品の提示を求める前にログイン認証が行われた場合には、ログイン認証されているユーザに関連付けられたユーザ属性情報に基づいて保険商品の提示を求めることが可能となる。すなわち、ユーザ情報記憶部１３ａに記憶されているユーザ属性情報を保険商品提示サーバ１０に送信されるので、クライアント端末３０からユーザ属性情報を入力する必要がなくなる。この結果、保険加入希望者が所望の保険商品を探すにあたり、労力の軽減を図ることができる。
【００７６】
また、上記実施形態の保険商品提示サーバ１０において、インタフェイスとしての連携ボタン６１ａが、提示部１７によって抽出された保険商品識別情報によって識別される保険商品の申込手続処理を行う保険会社管理サーバ７０に関する情報がクッキー情報として記憶されたクライアント端末３０からアクセスされたときに表示されるように設定されてもよい。
【００７７】
このような保険商品提示サーバ１０によれば、保険商品提示サーバ１０によって提示された保険商品を申し込むために保険会社管理サーバ１０にアクセスした場合、上記のような申込入力画面６１における入力項目６１ｂの入力を支援するための連携ボタン６１ａを確実に表示させることができる。また、一度、保険商品提示サーバ１０から提示を受けた保険商品については、あとからその保険商品を管理する保険会社管理サーバ７０が提供する申込入力画面６１にアクセスした場合であっても、上記の連携ボタン６１ａが表示される。これにより、ユーザは、確実に申込入力画面６１における入力項目６１ｂの入力の支援を受ける機会が与えられる。また、保険商品提示サーバ１０は、保険会社管理サーバ７０に対して、保険商品提示サーバ１０により紹介されたクライアント端末３０からのアクセスであることを通知することができる。
【００７８】
また、図１８に示すように、上記実施形態の保険商品提示サーバ１０は、申込入力画面６１の入力項目６１ｂとして入力が想定される内容を階層化した構造化データＴ５として記憶する構造化データ記憶部２７を更に備えてもよい。また、保険商品提示サーバ１０は、保険商品提示サーバ１０の外部に配置された構造化データ記憶部２７とアクセス可能に構成されてもよい。更に、ユーザ情報提供部２５は、ユーザ情報記憶部１３ａから読み出したユーザ属性情報を申込入力画面６１の対応する入力項目６１ｂに転送して入力するに際し、構造化データ記憶部２７に記憶された構造化データＴ５を参照し、申込入力画面６１が入力項目として入力を求めている内容に相当する階層の内容に変換して入力してもよい。
【００７９】
例えば、図４に示すように、ユーザ情報記憶部１３ａには、健康状態に関する情報として、がん、急性心筋梗塞、及び脳卒中のそれぞれの発症の有無に関する情報を有している。ここで、例えば、保険会社管理サーバ７０が提供する申込入力画面６１では、三大疾病に発症したか否かを入力項目として求めているとする。この場合、ユーザ情報提供部２５は、ユーザ情報記憶部１３ａから読み出したユーザ属性情報（例えば、ユーザＣについて、がんに発症したことがあるという内容）を申込入力画面６１の対応する入力項目６１ｂに転送して入力するに際し、構造化データ記憶部２７に記憶された構造化データＴ５を参照し、申込入力画面６１が入力項目として入力を求めている内容に相当する階層、すなわち、三大疾病に発症したことがあるという内容に変換して入力する。
【００８０】
上記構造化データを利用した情報の変換は、健康状態に関する情報だけでなく、例えば、「２５歳」という年齢に関する情報を「２０代」という年齢に関する情報に変換したりすることも可能となる。
【００８１】
また、保険商品提示サーバ１０に対し保険商品の提示を求める前にログイン認証を行った場合、ユーザ情報記憶部１３ａに記憶されたユーザの健康状態に関する情報に基づいて、保険商品の引受可否の判定が可能となる。引受可否の判定は、保険商品情報記憶部１５に記憶された可否判定情報と、ユーザ情報記憶部１３ａに記憶されたユーザの健康状態とを読み出して行われるが、両者において上記で説明したような情報のレベル（一方ががんに発症したという情報、他方が三大疾病に発病したという情報）が異なることがある。このような場合であっても、構造化データ記憶部２７に記憶された構造化データＴ５を用いることにより、同じ情報レベルでの比較ができるようになり引受可否の判定が可能となる。
【００８２】
上記実施形態では、ユーザが保険商品の提示を受ける前にユーザ情報を登録する例を挙げて説明したが、本発明はこれに限定されるものではない。ユーザがユーザ情報の登録をするタイミング、言い換えれば、保険商品提示サーバ１０がクライアント端末３０にユーザ情報の登録を求めるタイミングは、例えば、図１５に示す、クライアント端末３０が保険商品提示サーバ１０から保険商品の提示を受けた（ステップＳ３）後であってもよい。
【００８３】
保険商品提示サーバ１０が有するユーザ情報取得部１１と、ユーザ情報格納部１３と、提示部１７と、連携構築部２１と、認証部２３と、ユーザ情報提供部２５とによって実施される保険商品提示方法は、コンピュータに実行させるプログラムとしても実現可能である。
【符号の説明】
【００８４】
１…保険商品提示システム、３…ネットワーク、１０…保険商品提示サーバ、１１…ユーザ情報取得部、１３…ユーザ情報格納部、１３ａ…ユーザ情報記憶部、１５…保険商品情報記憶部、１７…提示部、２１…連携構築部、２３…認証部、２５…ユーザ情報提供部、２７…構造化データ記憶部、３０…クライアント端末、３１…ユーザ情報受付部、３３…抽出希望情報受付部、３５…抽出結果出力部、３７…申込受付部、３９…認証情報受付部、４１…ＣＰＵ、４２…主記憶部、４３…補助記憶部、４４…入力部、４５…出力部、５１…ユーザ情報入力画面、５３…アンケート入力画面、５５…抽出条件入力画面、５７…抽出結果画面、５７ａ…申込ボタン、５９…ユーザ認証画面、６１…申込入力画面、６１ａ…連携ボタン、６１ｂ…入力項目、６３…報知画面、６５…確認画面、７０…保険会社管理サーバ、７１…申込入力受付部、７５…ユーザ情報被提供部、７７…顧客情報管理部。
【図１】
2014215971.tif 000003
【図２】
2014215971.tif 000004
【図３】
2014215971.tif 000005
【図４】
2014215971.tif 000006
【図５】
2014215971.tif 000007
【図６】
2014215971.tif 000008
【図７】
2014215971.tif 000009
【図８】
2014215971.tif 000010
【図９】
2014215971.tif 000011
【図１０】
2014215971.tif 000012
【図１１】
2014215971.tif 000013
【図１２】
2014215971.tif 000014
【図１３】
2014215971.tif 000015
【図１４】
2014215971.tif 000016
【図１５】
2014215971.tif 000017
【図１６】
2014215971.tif 000018
【図１７】
2014215971.tif 000019
【図１８】
2014215971.tif 000020